(57)【特許請求の範囲】
【請求項１】
加入者端末、管理者サーバ及び院内電送システムを通信網を介して接続し、
該院内電送システムを、
新生児室に収容される複数の新生児のそれぞれに対応して撮像する複数の撮像手段と、
新生児の音声を捕らえる集音手段と、
前記各撮像手段で撮像された映像と該集音手段が捕らえた新生児の音声とを電送情報として重畳して電送する情報電送手段と、
前記電送情報の電送先を設定する電送先設定手段と、
前記新生児室と離れた場所に設置され、分配された電送情報を出力する複数の院内出力手段と、
前記情報電送手段からの電送情報を、前記電送先設定手段が設定した前記院内出力手段に分配する電送情報分配手段とで構成し、
前記管理サーバに、
該情報電送手段から電送された前記電送情報を保存する電送情報保存部と、
アクセス許容された前記加入者端末の要求に応じて、該電送情報保存部に保存された前記電送情報を電送する保存電送情報電送手段と、
アクセス許容された前記加入者端末の要求に応じて、該電送情報保存部に保存された前記電送情報のうち映像情報を出力した商品を製作する商品製作手段とを備えた
新生児情報電送システム。
【請求項２】
前記院内電送システムに、
文字、図形、写真等の添付情報を生成する添付情報生成手段を備え、
該添付情報生成手段が生成した添付情報を、前記電送情報に重畳して電送するように前記情報電送手段に接続した
請求項１に記載の新生児情報電送システム。
【請求項３】
前記電送先設定手段を、前記撮像手段と前記院内出力手段とを対応付けて設定する構成とし、
１つの院内出力手段に複数の撮像手段が対応したとき、１つの撮像手段に対応する電送情報の出力時間を設定して順次出力を切換える切換え手段を備えた
請求項１、または２に記載の新生児情報電送システム。
【請求項４】
前記通信網を介した広告主からの広告情報の収集を許容し、広告情報を電送情報に合成する情報合成手段を備えた
請求項３に記載の新生児情報電送システム。
【発明の詳細な説明】
【０００１】
【発明の属する技術分野】
この発明は、例えば新生児の現在時の表情等の生体情報を撮像して、産婦またはその家族に撮像した新生児の映像をリアルタイムに見せることが可能な新生児情報電送システムに関する。
【０００２】
【従来の技術】
一般に、産婦人科を備える病院の場合、新生児は感染がないか否か等の健康状態を確認するため新生児室に所定期間収容し、また産婦も養生のために別の部屋に収容されて、新生児と産婦は別々に隔離される。
【０００３】
【発明が解決しようとする課題】
上述の新生児と産婦の隔離状態は正常分娩では３日程であるが、この期間は新生児に対して産婦やその家族が自由に接することができないのが現状であり、また異常分娩(例えば帝王切開等)の場合は産婦の養生が１週間程かかり、隔離状態がさらに延長される。ましてや、新生児に異常が発見された場合は入院が長びき、後に産婦が正常で退院してしまうと、新生児と産婦を含む家族とが長期間自由に接することができず、新生児の情報が極めて少ないことになる。
【０００４】
そこでこの発明は、隔離された新生児の表情や音声等の新鮮な生体情報を、新生児室外の該当する産婦および遠隔地の家族に電送して充分な新生児情報を提供することができる新生児情報電送システムの提供を目的とする。
【０００５】
【課題を解決するための手段】
この発明は、加入者端末、管理者サーバ及び院内電送システムを通信網を介して接続し、該院内電送システムを、新生児室に収容される複数の新生児のそれぞれに対応して撮像する複数の撮像手段と、新生児の音声を捕らえる集音手段と、前記各撮像手段で撮像された映像と該集音手段が捕らえた新生児の音声とを電送情報として重畳して電送する情報電送手段と、前記電送情報の電送先を設定する電送先設定手段と、前記新生児室と離れた場所に設置され、分配された電送情報を出力する複数の院内出力手段と、前記情報電送手段からの電送情報を、前記電送先設定手段が設定した前記院内出力手段に分配する電送情報分配手段とで構成し、前記管理サーバに、該情報電送手段から電送された前記電送情報を保存する電送情報保存部と、アクセス許容された前記加入者端末の要求に応じて、該電送情報保存部に保存された前記電送情報を電送する保存電送情報電送手段と、アクセス許容された前記加入者端末の要求に応じて、該電送情報保存部に保存された前記電送情報のうち映像情報を出力した商品を製作する商品製作手段とを備えた新生児情報電送システムであることを特徴とする。
【０００６】
ここで撮像手段とは、新生児の表情及び音声を撮影する集音装置付撮像カメラで構成することができる。
前記情報電送手段とは、撮像手段で撮影した映像と、該集音手段が捕らえた新生児の音声とを電送する映像電送サーバで構成することができる。
【０００７】
前記電送情報分配手段とは、電送情報の電送元と電送先とを選択して分配する信号選択分配装置で構成することができる。
前記院内出力手段とは、産婦が入院する病室に設置された少なくとも画像を表示出力するモニタで構成することができる。
【０００８】
前記管理サーバは、該当運営者の管理するウェブサーバで構成することができる。
前記加入者端末は、遠隔地にいる家族等の加入者が利用する携帯電話等の携帯端末やパソコン等の端末で構成することができる。
【０００９】
前記電送情報保存部は、映像／音声電送サーバから電送された同映像および音声のデータを貯蔵するための映像データベースで構成することができる。
前記保存電送情報電送手段は、該当するファイルを映像データベースから読取って、電送する主制御部で構成することができる。
【００１０】
電送情報のうち映像情報を出力した商品を製作する商品製作手段とは、分配された電送情報のうち映像に関する情報のみを例えば、Ｔシャツとかマグカップ等の様々なファンシー商品等に、新生児の映像としてカラー写真などで印刷できる印刷機等であることを含む。
【００１１】
この結果、新生児室に新生児が収容されて室外から見えない隔離状態にあっても、その新生児の現在の表情や状態は撮像手段や集音手段によって明瞭に取得できるため、撮像した映像及び音声を新生児室と離れた病室の産婦および遠隔地の家族に電送して見せることができる。このため、関心事の高い家族達に対して、新生児の表情及び音声などが、あたかも傍に居るかの如く新鮮に分るサービス性の高い情報提供ができる。さらに、新生児の映像を商品製作手段から提供することもできる。
【００１２】
また、映像だけに限らず、新生児の氏名、体重などを表す文字情報、図形(グラフィック)情報、写真情報などを併せて電送するようにしてもよく、さらに電送に際してはインターネットやイントラネット等を利用すれば容易に電送システムを構築することができる。さらに、管理者は映像制御装置を通じて多様な案内または広告に関する情報を文字やグラフィックまたは放送形態にして、電送情報出力装置に出力できる。
【００１３】
【発明の実施の形態】
この発明の一実施の形態を以下図面に基づいて説明する。
図面は新生児情報電送システムを示し、この新生児情報電送システムは図1に示すように、病院の新生児室１０に収容されている多数の新生児１０ａ…の各々を撮像し、かつ音声を集音するために新生児別に配備されるカメラ／マイク２０…と、各々のカメラ／マイク２０…が撮影および集音した新生児データに対する信号処理を遂行して後段の信号選択分配装置４０に送信し、インターネット８０に接続して新生児データを送信するサーバとしての役割を遂行する映像／音声電送サーバ３０と、産婦が入院中の病室に各々配備される多数のモニタ５０と、映像／音声電送サーバ３０から提供される多数の新生児データに対する信号を該当するモニタ５０に適切に分配する信号選択分配装置４０とから構成される。
【００１４】
このときのモニタ５０は、一般のテレビを適用して出力させることができるほか、別途の画面出力用のモニタでも適用できる。
【００１５】
また、映像／音声電送サーバ３０には、新生児の映像編集および制御するための映像制御装置６０が配備され、信号選択分配装置４０には新生児の映像および音声に対する信号分配を設定するための制御動作を遂行する信号管理者端末７０が配備される。
【００１６】
このような新生児情報電送システムの概略処理動作を説明すると、新生児室１０に収容されている多数の新生児１０ａ…について、その映像および音声がカメラ／マイク２０に撮像および集音され、映像/音声電送サーバ３０からの信号を介して信号選択分配装置４０へと送信され、この信号選択分配装置４０は各々のカメラ/マイク２０…と各々のモニタ５０…につないで特定の病室に居る産婦のモニタ５０で該当する新生児の映像および音声が出力される。
【００１７】
この場合、該当するモニタ５０には、音声出力のためのスピーカが備えられており、映像以外にも音声が提供される。このほか、新生児の映像だけを電送するように構成あるいは制御することもでき、任意の情報提供の形態を構成できる。
【００１８】
上述の信号選択分配装置４０の各々のカメラ/マイク２０およびモニタ５０の連結動作を図２を参照して具体的に説明する。
【００１９】
図２は図１の中で信号管理者端末７０の信号選択分配設定のためのモニタ画面である。先ず、図２(ａ)は信号選択分配設定のための信号管理者の動作設定画面の一例を示し、信号選択分配設定画面７０１の画面はカメラの番号（新生児の位置）と、これに対応するモニタの番号（産婦の位置）の入力のための画面とから構成される。
【００２０】
この信号選択分配設定画面７０１を参照すれば、２番のカメラと１０番のモニタが相対応してつながるように設定し、４番のカメラが２０番のモニタに、３番のカメラが１０番のモニタに、それぞれ対応してつながるように設定している。このように設定された情報は信号選択分配設定テーブルとして信号管理者端末７０の内部のメモリに貯蔵され、信号選択分配装置４０はこれを参照して、各々のカメラとモニタとをつなげる動作を遂行する。
【００２１】
上述の信号選択分配設定画面７０１以外にも任意の形態に配列構成できるほか、各々のカメラに該当する新生児の氏名、性別、体重、出生日時および産婦の氏名などを入力するように構成することもできる。
【００２２】
上述の２番３番カメラが、同じ１０番モニタに設定されているように１つの病院には何人かの産婦がいて、各病室には１つの公用モニタが付けられる場合もある。そういう場合には、信号選択分配装置４０は１つの公用モニタに多数のカメラ映像を各々一定な時間間隔で(例えば１つのカメラ当り約１０秒程度)リレー式に出力させればよい。このように、各々のカメラ映像出力を１つのモニタに適切な時間間隔で出力するため信号選択分配装置４０には内部にタイマが備えられる。
【００２３】
このように、カメラ番号、モニタ番号、新生児と産婦の氏名などが設定され、信号管理者端末７０のモニタに多様な形態で出力して管理者の管理動作を手伝ったり、再設定することも可能である。
【００２４】
図２(ｂ)はモニタ別設定状態画面７０２として各々のモニタに設定された新生児と産婦など該当する新生児映像出力時間に関する状態を表す画面が開示されている。このようなモニタ別設定状態画面７０２に該当する新生児映像に対する出力時間欄に適切な間隔、例えば１０秒または２０秒などを設定することによって各々の新生児映像出力時間を調節できる。
【００２５】
一方、信号選択分配装置４０にはＯＳＤ(On Screen Display)のような文字表示器が備えられ、図２に示したように、入力した新生児や産婦の氏名に関する文字を表示し、該当モニタ別新生児の映像に新生児の氏名や産婦の氏名を同時に出力するようにできる。
【００２６】
上述の映像制御装置６０は映像／音声電送サーバ３０を管理または制御し、この映像制御装置６０から多様な文字情報やグラフィック情報の入力が可能になり、このような情報は映像／音声電送サーバ３０に送信され、映像／音声電送サーバ３０から信号選択分配装置４０に送信される各々のカメラ映像に重なったり、各々のカメラ映像を適切に処置することができる。
【００２７】
管理者は映像制御装置６０を通じて例えば、病院患者セミナ案内、育児教育常識、病院入退院手続案内などの多様な案内または広告に関する情報を文字やグラフィックまたは放送形態にして、各々の病室にあるモニタ５０に出力できる。
【００２８】
さらに、この新生児情報電送システムはインターネットを通じて遠隔地の加入者、例えば新生児の父親や家族達にも新生児の映像や音声を電送する機能を実行することができる。
【００２９】
以下、図３〜図５を参照してインターネットを利用する遠隔地の加入者に新生児の映像を電送するシステムを具体的に説明する。
【００３０】
図３は図１に示した映像／音声電送サーバ３０の詳細なブロック構成図であり、この映像／音声電送サーバ３０は、図１に示したように、多数のカメラ／マイク２０からの多チャンネル映像／音声信号を有線または無線を用い、各々に分離し、後段の映像信号処理部３０３と音声信号処理部３０４に送信し、映像／音声電送サーバ３０から提供するサービスの全般的な制御動作を実行する制御部３０１を有している。
【００３１】
さらに、図１に示された映像制御装置６０と連結できて、その映像制御装置６０と映像／音声電送サーバ３０との間をインターフェースする装置接続部３０２と制御部３０１から送信される音声信号と、映像信号を各々処理する映像信号処理部３０３または音声信号処理部３０４と、映像信号処理部３０３と音声信号処理部３０４から出力された映像または音声信号を合成して、図１に示したように信号選択分配装置４０に送信する信号合成部３０５と、この信号合成部３０５から合成された映像または音声信号を一時記録する光／磁気ディスクドライブなどで構成されるデータ貯蔵部３０６と、映像／音声電送サーバ３０とインターネット８０間をインターフェースするためのインターネット接続部３０７とを含めて構成している。
【００３２】
このような構成を有している映像／音声電送サーバ３０は、インターネットを通じて運営者のウェブサーバに新生児の映像／音声データを電送し、遠隔地の加入者がインターネットを通じて該当運営者のウェブサーバに接続して、新生児の映像または音声をリアルタイムで受信する。
【００３３】
以下、図４および図５を参照して、さらに詳しく説明する。
【００３４】
図４は映像／音声電送サーバ３０と、運営者のウェブサーバ１００または遠隔加入者の加入者端末９０との間のインターネット連結状態の概略図であり、図５は図４の運営者のウェブサーバ１００と加入者端末９０との間の新生児映像電送のための信号の流れ図である。
【００３５】
先ず、図４に示すように、パーソナルコンピュータと同じような各々の加入者の端末９０はインターネット(またはイントラネット)８０を運営者のウェブサーバ１００と接続し、この運営者のウェブサーバ１００はインターネット８０を通じて映像／音声電送サーバ３０に接続される。この際、インターネット８０は有線／無線のネットワークを含める概念で定義する。
【００３６】
運営者のウェブサーバ１００は特定していない多数の広告主から電送された広告のファイルを収集するための広告サーバ１２０と、運営サーバ１１０と、運営者が制御命令を入力するためのデータ入力部１４０と、運営者端末のモニタ上に映像／音声電送サーバ３０から電送されたファイルを加工および他のファイルを合成して加入者端末９０に電送するブラウザーを生成するためのブラウザー生成部１５０と、映像／音声電送サーバ３０の情報および加入者端末９０の該当する加入者に関する情報を貯蔵する加入者情報データベース１６０と、映像／音声電送サーバ３０から電送された同映像および音声のデータを貯蔵するための映像データベース１７０と、広告サーバ１２０を通じて提供された広告のデータを貯蔵するための広告データベース１８０および運営者のウェブサーバ１００を全般的に管理し、前記加入者端末９０および映像／音声電送サーバ３０からの様々なデータを処理する。さらに、加入者端末９０あるいは映像／音声電送サーバ３０の要求時、該当するファイルを映像データベース１７０から読取って、運営サーバ１１０を介して電送する主制御部１３０を含めて構成している。
【００３７】
このような運営者のウェブサーバ１００とインターネットを利用した加入者の通信処理過程を図５を参照して説明する。
【００３８】
先ず、第１ステップ９０１の段階で、ある加入者端末９０がインターネット８０を通じて運営者のウェブサーバ１００に接続を要求すれば、
第２ステップ９０２の段階で、運営者のウェブサーバ１００は初期の画面(つまりホームページ)を要求元の加入者端末９０に電送する。
【００３９】
その後、第３ステップ９０３の段階で、加入者端末９０は前記初期画面の該当欄に既に与えられているＩＤおよび暗証番号を入力することによって、ログインの作業を実行する。
【００４０】
入力されたＩＤおよび暗証番号は運営者のウェブサーバ１００に電送され、この運営者のウェブサーバ１００は第４ステップ９０４の段階で、内部の加入者情報データベース１６０に貯蔵された加入者の基本情報を検索して、登録者であるか否かを照合し、登録者であることを確認した場合は接続を承認する。
【００４１】
承認すると、第５ステップ９０５段階で、加入者端末９０から新生児の映像を要求するデータ要請がある場合は、
第６テップ９０６段階で、運営者のウェブサーバ１００は該当する加入者に対応した新生児の映像をリアルタイムで加入者端末９０に電送する。
【００４２】
このような処理動作によって、遠隔地、例えば職場とか家庭にいる家族などのような加入者はインターネットを通じて運営者のウェブサーバ１００から新生児のリアルタイムの映像および音声を電送により受信することができる。
【００４３】
上述の説明において、加入者の新規登録の説明を省略したが、この加入者の新規登録に際しては、加入者が新生児情報電送システムが設けられた病院で産婦の入院の手続をするとき、該当する病院の入院手続時に登録の有無が設定できる。また、加入者は登録によって、以後、新生児情報電送サービスの使用料を該当するシステムの運営者に直接または間接的に支払うことができる。
【００４４】
上述のように、新生児室に新生児が収容されて室外から見えない隔離状態にあっても、その新生児の現在の表情や状態は撮像手段によって明瞭に取得できるため、リアルタイムで撮像した映像が新生児室と離れた病室の産婦および遠隔地の家族に電送して見せることができる。このため、関心事の高い家族達に対して、新生児の表情などが、あたかも傍に居るかの如く新鮮に分るサービス性の高い情報提供ができる。ことに、新生児室の窓外から様子を見るような病院側が設定した時間制約を受けずに長時間見ることができる。
【００４５】
また、映像だけに限らず、新生児の音声情報や文字、図形、写真情報などを併せて提供を受けるようにすることもでき、さらに電送に際してはインターネットやイントラネット等を利用すれば容易に電送システムを構築することができる。
【００４６】
この発明の構成と、上述の一実施の形態の構成との対応において、
この発明の管理者サーバは、ウェブサーバ１００に対応し、
以下同様に、
院内電送システムは、院内における新生児情報電送システムに対応し、
撮像手段および集音手段は、実施の形態のカメラ／マイク２０に対応し、
情報電送手段は、映像／音声電送サーバ３０に対応し、
電送情報分配手段および切換え手段は、信号選択分配装置４０に対応し、
院内出力手段は、モニタ５０に対応し、
添付情報生成手段は、映像制御装置６０に対応し、
電送先設定手段は、信号管理者端末７０および運営者のウェブサーバ１００に対応し、
通信網は、インターネット（またはイントラネット）８０に対応し、
電送情報保存部は、映像データベース１７０に対応し、
保存電送情報電送手段は、主制御部１３０に対応するも、
この発明は、請求項に示される技術思想に基づいて応用することができ、上述の一実施の形態の構成のみに限定されるものではない。
【００４７】
例えば、新生児の映像をＴシャツとかマグカップまたは様々な商品、カラー写真などで印刷できる多様な装置としてのファンシー用品製作機などの他の機器を、既述した信号選択分配装置４０に接続して、新生児の映像をファンシー用品製作機から提供することもできる。また、加入者端末９０は一般のパーソナルコンピュータだけではなく、携帯電話のような無線端末機でも適用できる。
【００４８】
【発明の効果】
この発明によれば、新生児室と離れた病室の産婦および遠隔地の家族に、リアルタイムで撮像した新生児の映像を電送して見せることができるため、関心事の高い家族達に対して、新生児の表情などが、あたかも傍に居るかの如く新鮮に分るサービス性の高い情報提供ができ、また映像だけに限らず、音声情報や新生児の氏名、性別、体重、出生日時などの文字情報、図形情報、写真情報などを併せて電送することができる。
【図面の簡単な説明】
【図１】  新生児情報電送システムの概略構成図。
【図２】  モニタ画面例を示す表示図。
【図３】  映像／音声電送サーバの制御回路ブロック図。
【図４】  新生児情報電送システムをインターネットに接続利用したブロック構成図。
【図５】  インターネットを利用したときの通信状態を示す説明図。
【符号の説明】
１０ａ…新生児
３０…映像／音声電送サーバ
４０…信号選択分配装置
５０…モニタ
６０…映像制御装置
７０…信号管理者端末
８０…インターネット
１００…運営者のウェブサーバ
【図１】
0004004808.tif 000002
【図２】
0004004808.tif 000003
【図３】
0004004808.tif 000004
【図４】
0004004808.tif 000005
【図５】
0004004808.tif 000006